(57)【特許請求の範囲】
【請求項１】
２プライのトイレットペーパーであって、
１プライあたりの米坪が１２．０〜３０．０ｇ／ｍ2であり、
各プライにエンボスが付与されているとともに、各プライに付与されたエンボスのエンボス凸部の頂面に付与された接着剤を介して、両プライが接着されて積層一体化され、かつ、その接着剤中にアルギン酸塩が担持されているとともに、前記接着剤がインキ、水系ローション薬液及び柔軟剤の少なくとも一つを含み、
前記エンボスが、前記エンボス凸部の頂面と表裏の関係にあるエンボス凹部の底部の平面視における面積が０．６４〜４．０ｍｍ2、そのエンボス凹部のエンボス密度が２．０〜３２．０個／ｃｍ2、エンボス凹部の深さが、０．５〜１．５ｍｍである、ことを特徴とするトイレットペーパー。
【請求項２】
３プライのトイレットペーパーであって、
１プライあたりの米坪が１２．０〜３０．０ｇ／ｍ2であり、
外層を構成する各プライにエンボスが付与されているとともに、それらのプライに付与されたエンボスのエンボス凸部の頂面に付与された接着剤を介して、外層の各プライが中層のプライに対して接着されて積層一体化されており、かつ、前記接着剤中にアルギン酸塩が担持されているとともに、前記接着剤がインキ、水系ローション薬液及び柔軟剤の少なくとも一つを含み、
前記エンボスが、前記エンボス凸部の頂面と表裏の関係にあるエンボス凹部の底部の平面視における面積が０．６４〜４．０ｍｍ2、そのエンボス凹部のエンボス密度が２．０〜３２．０個／ｃｍ2、エンボス凹部の深さが、０．５〜１．５ｍｍである、ことを特徴とするトイレットペーパー。
【請求項３】
少なくとも外層を構成する各プライに水系ローション薬液が含浸されている請求項１又は２記載のトイレットペーパー。
【発明の詳細な説明】
【技術分野】
【０００１】
本発明は、トイレットペーパーに関する。
【背景技術】
【０００２】
現在市場で使用されているトイレットペーパーは、温水洗浄器付きトイレットの普及により、水分により破け難く、かつ水分の吸収性に優れたものが要求されている。しかしながら、温水洗浄による心地よさを優先し使用しているため、拭取り時に水分が残り易く、しっかりとした拭取り感を得にくい問題があった。
【０００３】
また最近のトイレットペーパーには、水系のローション薬液（以下、水系ローション薬液ともいう）が含浸されているとともに、エンボス加工が施されたものがある。
このトイレットペーパーでは、エンボス加工による表面の凹凸により拭き取り性と嵩高性（手肉感、嵩高さ）が高められているとともに、水系ローション薬液によって保湿性（しっとり感）、柔軟性（柔らかさ感）、表面の滑らかさ性（滑らかさ感）が高められている。
【０００４】
しかしながら、水系ローション薬液が含浸されている場合、保湿性（しっとり感）に優れる一方、非保湿系のトイレットペーパー以上に拭取り後に肌に湿った感じが残り乾いた感じがしない場合があり、使用者によっては良く拭取りができていないように感ずる場合がある。ローション薬液が含浸されたトイレットペーパーは、この点において水系のローション薬液が付与されていないトイレットペーパーよりも劣っている。
特に、このような湿った感じによる拭取り感の低下は、日本の梅雨及び秋雨の時期等で湿度の高い環境下において顕著となる。
ここで、さらっとした感触を与えるシートとしては、不織布等を用いた化粧用コットンなどにおいて知られるがトイレットペーパーでは水解性を必須とすることから、水解性が考慮されず逆に非水解性を基本として不織布により設計する化粧用コットンとでは基本的な使用態様、性質が異なり同様に設計するのが難しい。
【先行技術文献】
【特許文献】
【０００５】
【特許文献１】特開平９−２０１２２７号公報
【特許文献２】特開２００９−４５３９６号公報
【特許文献３】特開２００８−２９７２６０号公報
【特許文献４】特開２００６−１６９６９０号公報
【発明の概要】
【発明が解決しようとする課題】
【０００６】
そこで、本発明の主たる課題は、シャワートイレでの使用後に肌にさらっとした感触を与え、しっかりとした拭取り感を有するトイレットペーパーを提供することにある。
【課題を解決するための手段】
【０００７】
上記課題を解決した本発明とその効果は次記のとおりである。
＜請求項１記載の発明＞
２プライのトイレットペーパーであって、
１プライあたりの米坪が１２．０〜３０．０ｇ／ｍ2であり、
各プライにエンボスが付与されているとともに、各プライに付与されたエンボスのエンボス凸部の頂面に付与された接着剤を介して、両プライが接着されて積層一体化され、かつ、その接着剤中にアルギン酸塩が担持されているとともに、前記接着剤がインキ、水系ローション薬液及び柔軟剤の少なくとも一つを含み、
前記エンボスが、前記エンボス凸部の頂面と表裏の関係にあるエンボス凹部の底部の平面視における面積が０．６４〜４．０ｍｍ2、そのエンボス凹部のエンボス密度が２．０〜３２．０個／ｃｍ2、エンボス凹部の深さが、０．５〜１．５ｍｍである、ことを特徴とするトイレットペーパー。
【０００８】
＜請求項２記載の発明＞
３プライのトイレットペーパーであって、
１プライあたりの米坪が１２．０〜３０．０ｇ／ｍ2であり、
外層を構成する各プライにエンボスが付与されているとともに、それらのプライに付与されたエンボスのエンボス凸部の頂面に付与された接着剤を介して、外層の各プライが中層のプライに対して接着されて積層一体化されており、かつ、前記接着剤中にアルギン酸塩が担持されているとともに、前記接着剤がインキ、水系ローション薬液及び柔軟剤の少なくとも一つを含み、
前記エンボスが、前記エンボス凸部の頂面と表裏の関係にあるエンボス凹部の底部の平面視における面積が０．６４〜４．０ｍｍ2、そのエンボス凹部のエンボス密度が２．０〜３２．０個／ｃｍ2、エンボス凹部の深さが、０．５〜１．５ｍｍである、ことを特徴とするトイレットペーパー。
【０００９】
【００１０】
＜請求項３記載の発明＞
少なくとも外層を構成する各プライに水系ローション薬液が含浸されている請求項１又は２記載のトイレットペーパー。
【発明の効果】
【００１１】
以上の本発明によれば、シャワートイレでの使用後に肌にさらっとした感触を与え、しっかりとした拭取り感を有するトイレットペーパーが提供される。
【図面の簡単な説明】
【００１２】
【図１】本発明にかかるトイレットペーパーの平面図である。
【図２】本発明の第１の形態にかかるトイレットペーパーの断面図である。
【図３】本発明の第２の形態にかかるトイレットペーパーの断面図である。
【図４】本発明に係るトイレットペーパーの製造方法例を説明するための図である。
【発明を実施するための形態】
【００１３】
次いで、本発明の実施の形態を図１〜４を参照しながら以下に詳述する。
本発明は２プライ又は３プライのトイレットペーパーＸ１であり、各プライはクレープ紙Ｓ１（Ｓ２）で構成されている。また、外層を構成するプライＳ１には一方面に凸エンボスロールで押されて形成されるエンボス凹部２０Ａのみが形成され、他方面に前記エンボス凹部２０Ａに対応するエンボス凸部のみが形成されているシングルエンボスが付与されており、それらのプライＳ１に付与された前記エンボス２０のエンボス凸部の頂面２０ｔに付与された接着剤１０を介して、各プライＳ１（Ｓ２）が接着されて積層一体化されている。図１に２プライの形態の断面図、図２に３プライにおける断面図を示す。なお、３プライの場合における中層プライＳ２にはエンボス２０が付与されていない。
【００１４】
そして、本発明のトイレットペーパーＸ１は、特徴的に前記接着剤中１０に、アルギン酸塩が担持されている。アルギン酸塩を含む溶液は、肌に触れた際にさらっとした感触を与える。したがって、本発明のトイレットペーパーＸ１を用いてシャワートイレで洗浄後に拭取り操作を行なうと、肌付着しているシャワートイレからの水分がトイレットぺーパーＸ１に吸収されるとともに、上記接着剤１０中のアルギン酸塩が溶けてトイレットペーパー表面に溶け出し、これが肌に触れてもって肌にさらっとした感じを与える。
【００１５】
ここで、本発明のトイレットペーパーＸ１では、アルギン酸塩を接着剤１０中に担持させているが、本効果を得るには比較的高濃度のアルギン酸塩が必要となるため、そのままクレープ紙Ｓ１（Ｓ２）全体に塗布するのは刷版の汚れ等の問題があり好ましくない。比較的粘度の高い接着剤１０にアルギン酸塩を含有させ、また、その接着剤１０をエンボス凸部の頭頂部２０ｔのみに位置させることでこのような製造時の問題が解決される。
【００１６】
ここで、本発明にかかるアルギン酸塩としては、アルギン酸ナトリウム、アルギン酸アンモニウム、アルギン酸カリウムが例示される。接着剤中におけるアルギン酸塩の含有量は、固形分濃度で０．１〜２０質量％とすることが望ましく、より好ましくは２．０〜１５質量％含まれることが良い。また、前記接着剤の使用量は、全体で紙質量当たり１．０〜２０．０質量％であるのが望ましい。この範囲であると、プライ接着に必要な接着力を確保できるとともに、アルギン酸塩によるさらっとした感触を十分に得ることができる。
【００１７】
また、接着剤１０としては、ポリビニルアルコール、ＣＭＣ、澱粉などの水溶性接着剤等の他にレジュウムを含む水溶性インキなども使用できる。また、高濃度のアルギン酸塩水溶液を接着剤とすることもできる。
また、接着剤１０には、染料や顔料を含むインキを含ませることで、図柄を浮き彫りにし意匠性を持たせることができる。本発明におけるインキとは、フレキソインキであって、顔料を０．５〜１７質量％、樹脂（分散剤を含む）を２５．２〜２７質量％、水を５６〜７４．３質量％を含み、レジュウムによって希釈し、粘度を調整したものである。インキを配合することによる拭取り感の向上のメカニズムは定かではないが、インキ成分中の水や分散剤によって接着剤中のアルギン酸塩を適切に溶出させることができるようになると考えられる。また、接着剤１０には、プライ間の接着を妨げない範囲で水系ローション剤や柔軟剤を混入させることができ、エンボス接着部に柔らかさや滑らかさを与えることができる。柔軟剤としてはカチオン性、アニオン性、両性、ノニオン性界面活性剤など任意のものが使用できる。
【００１８】
ここで、本発明のトイレットペーパーＸ１のプライＳ１（Ｓ２）を構成するクレープ紙Ｓ１（Ｓ２）の原料パルプは、既知のものが使用できる、例えば、木材パルプ、古紙パルプなどが挙げられる。
特には、原料パルプは、ＮＢＫＰ（針葉樹クラフトパルプ）とＬＢＫＰ（広葉樹クラフトパルプ）とを配合したものが好ましい。適宜古紙パルプが配合されていてもよいが、風合いなどの点で、ＮＢＫＰとＬＢＫＰのみから構成されているのがよく、その場合配合割合としては、ＮＢＫＰ：ＬＢＫＰ＝１０：９０〜５０：５０がよく、特に、ＮＢＫＰ：ＬＢＫＰ＝４０：６０が望ましい。
原料パルプ等の抄紙原料は、例えば、公知の抄紙工程、具体的には、ワイヤパート、プレスパート、ドライヤパート、サイズプレス、カレンダパート等を経るなどしてクレープ紙とする。抄紙に際しては、例えば、分散剤、苛性ソーダ等のｐＨ調整剤、消泡剤、防腐剤、スライムコントロール剤などの適宜の薬品を添加することができる。
【００１９】
クレープ紙Ｓ１（Ｓ２）の坪量は、エンボス形状が確実に保持される点、アルギン酸塩の溶出を確実なものとする点から、ＪＩＳ Ｐ ８１２４で測定する米坪が１プライあたり１２．０〜３０．０ｇ／ｍ2であるのが望ましい。米坪が１２．０ｇ／ｍ2未満であるとエンボス加工後に厚み感が無くなったり、断紙し易くなる。米坪が３０．０ｇ／ｍ2超過であるとごわごわして使用感が悪くなったり、水解性が悪化したり、さらにアルギン酸塩の溶出がし難くなり本発明の作用効果が低下する。
クレープ紙Ｓ１（Ｓ２）の紙厚はダイヤルシックネスゲージ（ピーコック紙厚計）により測定し、２プライでは１８０〜２８０μｍ、３プライでは２３０〜３３０μｍであるのが望ましい。紙厚が所定の厚さ未満であると製品での厚み感が不足したり、紙が伸びやすくなるとともに接着剤による積層一体化が不十分となることがある。また、紙厚が所定の厚さ超過であるとごわごわして使用感が悪くなる。
【００２０】
他方、上述のとおり本発明のトイレットペーパーＸ１では、外層を構成するプライＳ１（２プライの場合は両プライとなる）にエンボス２０が付与されている。
このエンボス１０を付与してその凸部の頂面２０ｔに接着剤を付与しそこにアルギン酸塩を担持させることでアルギン酸塩を適切な付与量とすることができるとともに、アルギン酸塩を確実に溶出させることができるようになり、さらに、エンボス凹部によってトイレットペーパーでの拭取り時に過度の肌への密着性がなくなりさらっと感を増長させ、そのうえエンボス特有の嵩高さと排泄物の掻き取り性をも向上させられる。
【００２１】
ここで、好適なエンボス態様を説明すると、まず、一つのエンボス凹部２０Ａの底部２２の平面視における面積が０．６４〜４．０ｍｍ2であり、そのエンボス凹部２０Ａのエンボス密度が２．０〜３２．０個／ｃｍ2であるのが望ましい。
ここで、エンボス凹部２０Ａの底部２２は、本発明では接着剤１０が付与されるエンボス凸部の頂面２０ｔと表裏の関係にあるため、この底部２２の大きさが０．６４ｍｍ2未満であると、接着剤１０の付与が十分ではなくプライ剥離しやすくなるとともに、付与されるアルギン酸塩の量を十分なものとすることが困難となる。さらに得られるトイレットペーパーＸ１がエンボス２０による排泄物の掻き取りが十分ではなくなり拭取り性の向上が小さいものとなる。また、４．０ｍｍ2を超えるとトイレットペーパーＸ１の嵩高さが発現し難くなる。それとともに、エンボス密度が２．０個／ｃｍ2未満であるとトイレットペーパーＸ１のエンボス２０による拭取り性及び嵩高さの効果が発現し難くなり、また、アルギン酸塩を十分な量付与することが困難となる。反対に３２個／ｃｍ2超であると接着剤付与面積が多すぎて硬く水解性が低下する。
また、前記エンボス凹部２０Ａの深さは、０．５〜１．５ｍｍである望ましい。０．５ｍｍ未満であると、嵩高さが発現し難くなる。１．５ｍｍを超えるとアルギン酸塩の溶出がし難くなる。
【００２２】
ここで、本発明においてはエンボス凹部２０Ａが、図示例の如く紙面に縦横規則正しく配列されるようにするのが望ましい。エンボス凹部２０Ａがムラなく配置され、エンボスの効果及びアルギン酸塩の溶出による効果が紙面全体で発揮されるようになる。
ここで、エンボス凹部２０Ａの底部２２の形状については、特に限定されないが、好ましくは、円形、楕円形、四角形、角取り四角形である。なお、ここでのエンボス凹部２０Ａの底部２２の形状は上記のとおりエンボス凸部の頂面と表裏の関係にあることからの形状と一致する。特に好ましいのは角取り四角形、その中でも角取り正四角形が特に望ましい。角取り四角形であると、エンボスが潰れがたく嵩高さが発現しやすく、しかも、拭取り時の排泄物の掻き取り性に優れるとともに、表面の滑らかさ感に優れたものとなる。また、角がないことによって水分の拡散性に優れるようになり、アルギン酸塩を含む溶液が紙面に拡散しやすくなる。なお、エンボス凹部２０Ａの全体の形状（平面視形状）は底部形状（平面視形状）と相似形であるのが望ましいが、必ずしもそうでなくてもよい。エンボス凹部の平面視面積は、概ね底部平面直面積の１．１〜２．０倍程度であるのが望ましい。
【００２３】
なお、前記エンボス凹部２０Ａ間のピッチ（離間間隔）Ｌ１は、３．０〜５．０ｍｍとするのが望ましい。上記エンボス２０の構成のもとかかる数値範囲とすると滑らかさ、意匠性により優れたものとなる。また、３．０ｍｍ未満であると厚み感がなく嵩高さが得られない。また、５．０ｍｍを超えるとエンボス凸部１間において付与中に破れるおそれが極めて高まり、生産性の悪いものとなる。なお、ピッチとは、エンボス凹部２０Ａの底部２２の中心又は底部２２の重心間の間隔である。
【００２４】
ここで、本発明にかかるトイレットペーパーＸ１は水解性を有するものである。具体的には、水解性の値が５〜２０秒とするのが望ましい。なお、ここでの水解性とは、ほぐれやすさ試験（ＪＩＳ Ｐ ４５０１で規定される、ほぐれやすさの試験方法に基づく）における秒数で表したものである。水解性の値が５秒未満であると、シャワートイレ等で使用した際に、拭き取り操作をするとほぐれたクレープ紙が皮膚に付着するおそれが高まる。なお、この水解性５〜２０秒という数値は、極めて高い水解性である。本発明では、シャワートイレなどにおける拭取り時を十分に行えるにもかかわらず、かかる水解性を達成可能であるのは、本発明の特徴的なエンボスとの関係によるところがある。
【００２５】
他方、本発明にかかるトイレットペーパーＸ１においては、柔らかさ、滑らかさ感の向上のために水系のローション薬液を含浸させることができる。この場合、水系ローション薬液の塗布量は、プライ数に関係なく、両面合わせて１．０〜６．５ｇ／ｍ2、好ましくは２．０〜５．０ｇ／ｍ2、より好ましくは２．５〜４．５ｇ／ｍ2である。６．５ｇ／ｍ2超過すると、紙力低下や伸びなどにより断紙したり、アルギン酸塩を付与しても品質的にべたつき感が過ぎる場合も出てくる。１．０ｇ／ｍ2未満であると滑らかさやしっとり感など未塗工品との品質差を感じられなくなってしまう。より好ましく、２．５〜４．５ｇ／ｍ2とすると柔らかさ感、滑らかさ感といった官能評価において極めて優れたものとなる。また、特に２〜３プライの場合に、薬液含浸の効果が十分に、確実に発揮される。
【００２６】
この場合における本発明にかかる水系ローション薬液は、水及びポリオールを含む。水系ローション薬液であると、断紙改善など、本発明の効果がより明確に発揮される。特にポリオールとしてグリセリンを７０〜９０質量％を含む水系ローション薬液、さらに水分を１〜１５％、機能性薬品を０．０１〜２２質量％含む水系ローション薬液であるのが望ましい。より好ましくは水分が５〜１０質量％のものである。なお、薬液中の水分はカール・フィッシャー法により測定することができる。また、塗布時における薬液の粘度は５０〜３００ｍＰａ・ｓとするのが望ましい。薬液粘度が５０ｍＰａ・ｓ未満であると、シート中のローション薬液が細かな繊維間への浸透が速く、所望のエンボス形状を失わせやすい。薬液粘度が３００ｍＰａ・ｓ超過であると、シート中のローション薬液が細かな繊維間へ浸透しづらく、平面的な均一感、肌触りが失われるため好ましくない。
【００２７】
前記機能性薬剤としては、界面活性剤、無機および有機の微粒子粉体、油性成分などがある。界面活性剤はティシューに一層の柔軟性を与えたり表面を滑らかにしたりする効果があり、アニオン性界面活性剤、カチオン性界面活性剤、両性イオン界面活性剤及びノニオン界面活性剤を適用する。無機および有機の微粒子粉体は表面を滑らかな肌触りとする。油性成分は滑性を高める働きがあり、流動パラフィン、セタノール、ステアリルアルコール、オレイルアルコール等の高級アルコールを用いることができる。
【００２８】
また機能性薬剤としてグリセリンの保湿性を維持させる薬剤として親水性高分子ゲル化剤、コラーゲン、加水分解コラーゲン、加水分解ケラチン、加水分解シルク、ヒアルロン酸若しくはその塩、セラミド等の１種以上を任意の組合せ等の保湿剤を加えることができる。
また機能性薬剤として香料、各種天然エキス等のエモリエント剤、ビタミン類、配合成分を安定させる乳化剤、薬液の発泡を抑え塗工を安定させるための消泡剤、防黴剤、有機酸などの消臭剤を適宜配合することができる。さらには、ビタミンＣ、ビタミンＥの抗酸化剤を含有させてもよい。薬液中の含有成分は水に容易に溶解する成分であるか、もしくは容易に溶解する形態に変性して配合する。
【００２９】
以上詳述の本発明に係るトイレットペーパーＸ１では、特にシャワートイレで排泄部等を洗浄した後に、拭取り操作を行なった際にさらっとした感じが得られ、しっかりとした拭取り感が得られる。
【００３０】
次に、本発明のトイレットペーパーＸ１の製造例を２プライの例を主に図４を参照しながら説明する。
本発明にかかるトイレットペーパーＸ１は、クレープ紙を巻いてなる原反ロールＲ１を２個用意し、これらから連続クレープ紙Ｓ１’Ｓ１’をそれぞれ繰り出す。繰り出された連続クレープ紙Ｓ１’、Ｓ１’は、表面に所望のエンボスパターンが付与された凸エンボスロール６０とゴム製の受けロールで６１構成されるエンボス付与手段６に通してシングルエンボスを付与する。この際、本発明のトイレットペーパーＸ１の製造では、上記凸エンボスロール６０と受けロール６１との間を通してエンボスが付与された後、凸エンボスロール６０に巻き掛けられてガイドされて後段に導かれるようにし、その凸エンボスロールに巻き掛けられている状態でドクターチャンバー式のフレキソ印刷機５によって、エンボス凸部の頂面にアルギン酸塩を含む接着剤を付与する。
【００３１】
そして、各原反ロールＲ１、Ｒ１から繰り出されたエンボスが付与されかつそのエンボス凸部の頂面にアルギン酸塩を含む糊が付与された各連続クレープ紙Ｓ１’、Ｓ１’同士を、前記頂面同士が対面するようにして積層手段７で積層し、さらに巻き取り手段で巻取って本発明のトイレットペーパーＸ１の原紙を製造する。積層形態は所謂Ｔｉｐ ｔｏ Ｔｉｐの形態、ネステッドの形態等が例示できる。
そして、そのようにして製造された原紙を後段の既知のワインダーなどの設備を用いてトイレットロールの形態等に加工して製品とする。
【００３２】
なお、図４に示す形態では、各原反ロールＲ１、Ｒ１から繰り出された連続シートＳ１’、Ｓ１’の双方のエンボス凸部の頂面に接着剤を付与しているが、２プライのトイレットペーパーＸ１であれば、一方の連続シートＳ１’のみに接着剤を付与してもよい。
なお、３プライのトイレットペーパーＸ１を製造する場合には、原反ロールから中層を構成する連続クレープ紙を巻きだして、外層を構成する各連続クレープ紙Ｓ１’、Ｓ１’に対してエンボス及び接着剤を付与したのち、これらの間に介在させるようにして積層手段７において積層一体化すればよい。
【００３３】
〔実施例〕
次いで、本願発明にかかる実施例、比較例及び参考例について評価したのでその結果を各例にかかる物性・組成とともに下記表１、表２に示す。
なお、表１は２プライの製品で評価、表２は３プライの製品で評価したものである。
評価は、各例にかかるトイレットペーパーを被験者２３人（男性８人、女性１５人）により使用してもらい、シャワー洗浄後の拭取りを行い、その官能評価で行なった。
【００３４】
＜評価方法＞
官能評価の「さらっとした感触」「拭取り感」「柔らかさ」「しっとり感」「滑らかさ」は、非塗布のアルギン酸塩を使用しないトイレットペーパーを基準とし、それぞれ「非常に良い」を「５」、「やや良い」を「４」、基準と同等、もしくは差が分からないを「３」、「やや劣る」を「２」、「明らかに劣る」を「１」とし評価点をつけた。上記２３人で各々の項目の評価を平均したものを表中に記載している。
【００３５】
＜引張り強度・伸びの測定方法＞
引張り強度についてはＪＩＳＰ８１１３に規定されている方法で測定し、伸び率とは、同ＪＩＳＰ８１１３の定義ｅ）に記載されている引張り破断伸びのことである。
【００３６】
【表１】
0006034004.tif 000002
【００３７】
【表２】
0006034004.tif 000003
【００３８】
表１、表２の結果から理解されるように、本願発明では肌の余分な水分がしっかりと拭き取れる感触が得られる。
【符号の説明】
【００３９】
Ｘ１…トイレットペーパー、２０…エンボス、２０Ａ…エンボス凹部、２２…エンボス凹部の底部、２０ｔ…エンボス凸部の頂面、１０…接着剤、Ｓ１…外層プライ（外層を構成するクレープ紙）、Ｓ２…中層プライ（中層を構成するクレープ紙）、Ｓ１’…外層を構成する連続クレープ紙、５…接着剤付与手段（ドクターチャンバー式フレキソ印刷）、Ｒ１…原反ロール、６…エンボス付与手段、６０…凸エンボスロール、６１…受けロール、７…積層手段。
【図１】
0006034004.tif 000004
【図２】
0006034004.tif 000005
【図３】
0006034004.tif 000006
【図４】
0006034004.tif 000007